(57)【要約】唾液溶解性であり、実質上結晶を含まず、剥離値が約２０未満であり、放出値が約１００であり、結晶抑制物質を含有する強固なコーティングで処理した改良されたデンタルテープ。【特許請求の範囲】
【請求項１】
結晶抑制物質を含有し、
唾液溶解性であり、
実質上結晶を含まず、
テープの重量の約２０％〜１２０％を構成し、
剥離値が約２０未満であり、かつ放出値が約９０〜１００である、
デンタルテープ用の強固なコーティング。
【請求項２】
前記結晶抑制物質が、長鎖高級アルコール類またはそれらの混合物ならびに次の一般式
【化１】
2004533859.tif 000004
（式中、Ｒ１〜Ｒ４は、Ｈあるいは１０〜３０個の炭素原子を有する脂肪族アシル基を表す）
を有する液状界面活性剤からなる群から選択される、請求項１に記載のデンタルテープ用の強固なコーティング。
【請求項３】
フッ化第一スズ、硝酸カリウム、トリクロサン、クロルヘキシジン、塩化セチルピリジニウム、臭化ドマフェン、メトロニダゾール、ドキシサイクリン、アスピリン、およびそれらの混合物からなる群から選択される有効な化学療法成分を含有する、請求項２に記載のデンタルテープ用の強固なコーティング。
【請求項４】
結晶抑制物質を含有し、
唾液溶解性であり、
実質上結晶を含まず、
テープの重量の約２０％〜１２０％を構成し、
剥離値が約２０未満であり、かつ放出値が約９０〜１００である、
強固なコーティングを有する、コートされた単繊維デンタルテープを用いて口腔内の歯間および歯肉縁下部位をフロッシングすることを含む、口腔内の歯間および歯肉縁下部位を処置するための方法。
【請求項５】
前記コーティングが、フッ化第一スズ、硝酸カリウム、トリクロサン、クロルヘキシジン、塩化セチルピリジニウム、臭化ドマフェン、メトロニダゾール、ドキシサイクリン、アスピリン、他の非ステロイド性抗炎症薬、およびそれらの混合物からなる群から選択される有効成分を含有する、請求項４に記載の口腔内の歯間および歯肉縁下部位を処置するための方法。
【請求項６】
前記コーティングが、フッ化第一スズ、硝酸カリウム、トリクロサン、クロルヘキシジン、塩化セチルピリジニウム、臭化ドマフェン、メトロニダゾール、ドキシサイクリン、アスピリン、他の非ステロイド性抗炎症薬（ＮＳＡＩＤＳ）、およびそれらの混合物からなる群から選択される有効成分を含有し、心疾患、糖尿病、喫煙に関連した疾患、低出生体重児、免疫無防備状態の患者などの口腔健康の不良によって引き起こされるあるいは悪化する全身疾患を軽減する、治療する、あるいは影響を与える目的で、口腔内の歯間および歯肉縁下部位を処置するための請求項４に記載の方法。
【請求項７】
結晶抑制物質を含有し、
唾液溶解性であり、
実質上結晶を含まず、
テープの重量の約２０％〜１２０％を構成し、
剥離値が約２０未満であり、かつ放出値が約９０〜１００である、
強固なコーティングを有する、コートされた単繊維デンタルテープを用いて口腔内の歯間および歯肉縁下部位をフロッシングすることを含む、口腔内の歯間および歯肉縁下部位から歯肉縁下のバイオフィルムを物理的に除去するための方法。
【請求項８】
ａ．コーティングの融解温度より高い温度を保ちながら、流体であり実質上均一に保たれたコーティングを含有する装填（ｌｏａｄｉｎｇ）媒体に、テープを導入するステップと、
ｂ．コーティング後に、コートされたテープから余分なコーティングを切削（ｄｏｃｔｏｒｉｎｇ）またはカレンダ処理（ｃａｌｅｎｄａｒｉｎｇ）することによって、テープから余分なコーティングを除去するステップと、
ｃ．コートされたテープを冷却し、これをマスタースプールに巻き付け、その後ボビンに巻き付けるステップを含み、
結晶抑制物質を含有し、
唾液溶解性であり、
実質上結晶を含まず、
テープの重量の約２０％〜１２０％を構成し、
剥離値が約２０未満であり、かつ放出値が約９０〜１００である、
強固なコーティングを含有する、コートされた単繊維デンタルテープを製造するための方法。
【請求項９】
請求項２に記載のＰＴＦＥ、非ＰＴＦＥ、エラストマー、多成分、および他のポリマー単繊維フロス、ならびにそれらの混合物からなる群から選択される単繊維テープであるデンタルテープ用の強固なコーティング。
【発明の詳細な説明】
【技術分野】
【０００１】
（優先権主張）
本願は、２００１年１月２２日出願の同時係属の米国仮出願第６０／２６３，２２０号の優先権を主張する。
【０００２】
本発明は、改良されたデンタルテープに関する。詳細には、本発明の改良されたデンタルテープは、（ａ）フロス繊維の重量の２０〜１２０％を構成する、（ｂ）唾液溶解性である、かつ（ｃ）剥がれが最小限である、実質上結晶を含まないコーティングを含有する。さらにこうしたコーティングは、フロッシング中に、口腔にすべて放出され、歯間および歯肉縁下表面からのバイオフィルムの物理的な除去を助けるためのテープと共に働く研磨剤などの成分、ならびに口腔健康、ならびに口腔健康の不良によって引き起こされるあるいは悪化するその後の全身疾患に影響を与える化学療法成分を含有することができる。こうしたコーティングは、特に、単繊維デンタルテープに適している。
【背景技術】
【０００３】
歴史的に見ると、デンタルフロスの目的は、（１）歯間および歯肉縁下表面に蓄積し、ブラッシングまたは洗浄では除去できない分解した食物物質を排除および除去すること、ならびに（２）以前のフロッシングおよび／またはクリーニング以後に蓄積した細菌、歯垢、および／または歯石を排除および除去することであった。
【０００４】
歯間腔を清掃するためにデンタルフロスを使用するという概念は、１８１９年にＰａｒｍｌｙによって導入されたと思われる。Ｐａｒｍｌｙは、歯肉炎になりやすい人の歯を清掃するために蝋引きした絹を使用することを提案した。
【０００５】
現在歯肉縁下のバイオフィルムとして記載されている、歯周病における歯垢の役割は、十分に文献に記載されている。歯肉縁下のバイオフィルムを日常的に物理的に除去する必要性は、歯周病の治療法として認められるようになっている。歯肉縁下のバイオフィルムの機械的除去は、スケーリング、プレーニング、予防措置（ｐｒｏｐｈｙｌａｘｉｓ）、および研磨を通して専門的に、また、歯磨き、代用ブラッシング（ｐｒｏｘｙ  ｂｒｕｓｈｉｎｇ）、およびフロッシングによって個人的に実現することができる。
【０００６】
歯の表面から歯肉縁下のバイオフィルムを物理的に除去するこれらの方法は、効果があり、十分に認められているが、歯周病は、成人に蔓延しているので、個人が歯肉縁下のバイオフィルムを日常的に物理的に除去するための改良された手段が必要である。
【０００７】
さらに、歯間の間隔は、均一ではなく、別の場所にある同じ歯対間だけでなく、別の歯対間でも、かなり変動する。この間隔は、同じ個人で、別の個人間で、また、特に捻転歯および充填物、クラウンなどを有する歯の場合に異なる。
【０００８】
多繊維デンタルフロスでは、歯間に使用すると必ずほつれたり切れたりしてしまうような狭い間隔および隣接歯間への接触に対処するために、数多くの「ＴＥＦＬＯＮ」デンタルフロスが商品化されている。こうした切れにくい単繊維テープは、以下の米国特許に詳細に記載されており、これらを参照により本明細書に組み込む；第３，６６４，９１５号；第３，９５３，５６６号；第３，９６２，１５３号；第４，０９６，２２７号；第４，１８７，３９０号；第４，２５６，８０６号；第４，３８５，０９３号；第４，４７８，６６５号；第４，７７６，３５８号；第５，０３３，４８８号；第５，２０９，２５１号；第５，２２０，９３２号；第５，５１８，０１２号；第５，７１８，２５１号；第５，７６５，５７６号；および第５，９１１，２２８号。
【０００９】
今日市販品として入手できるＴＥＦＬＯＮタイプのテープには、Ｇｏｒｅ’ｓ  Ｇｌｉｄｅ（登録商標）、Ｏｒａｌ−Ｂ’ｓ  Ｓａｔｉｎ  Ｆｌｏｓｓ（登録商標）、Ｊｏｈｎｓｏｎ＆Ｊｏｈｎｓｏｎ’ｓ  Ｅａｓｙ  Ｓｌｉｄｅ（登録商標）、およびＣｏｌｇａｔｅ’ｓ  Ｔｏｔａｌｓ）がある。これらのテープはすべて、最小限のほつれや切れで、狭い空間に使用することができる。ただし、これらのテープは、Ｊｏｈｎｓｏｎ＆Ｊｏｈｎｓｏｎ’ｓの織られたフロス（ｗｏｖｅｎ  ｆｌｏｓｓ）、ＲＥＡＣＨ（登録商標）Ｇｅｎｔｌｅ  Ｇｕｍ  Ｃａｒｅなどの多繊維のものとは異なり、フロッシング中に、十分な量の清浄剤、研磨剤、歯石抑制成分、漂白剤、およびフッ化物、抗菌剤、抗生物質などの有効成分を放出しない。フロッシングされる部位に十分な量の成分を送達できないという欠点の本質は、これらのテープは一般に、歯間に適合させるのに最も好都合であると感じられているが、残念ながら、一般に、いったん歯間に置かれると、「清掃しない」、「作用しない」、「それほどの働きはない」などと感じられていることである。
【００１０】
十分な量の清浄、調整、および治療物質が、テープにコートされる場合、生じたテープは、加工したり、分配したり（ｄｉｓｐｅｎｓｉｎｇ）、指にテープを巻き付けたりする間に、これらのコーティングが過度に剥がれたり崩壊したりする特徴がある。そのため、バイオフィルムに作用する、また、歯間および歯肉縁下の空間からバイオフィルムを物理的に除去するのに適した放出可能成分の強固なコーティングを利用する市販のテープは存在しない。
【００１１】
バイオフィルムは、自然界で除去が困難であることで有名である。十分な量の清浄剤、研磨剤など無しでバイオフィルムに単繊維テープを使用することは、十分な量のバイオフィルムの物理的な除去および／または破壊に有効ではない。つまり、歯間および歯肉縁下に蓄積した厄介な（ｃｒｉｔｉｃａｌ）バイオフィルムは、現在の市販のデンタルテープ、すなわちＰＴＦＥテープや複合繊維（ｂｉｃｏｍｐｏｎｅｎｔ）テープを用いた日常のフロッシングでは効果的に物理的除去できない。
【００１２】
単繊維の歯間用具は、米国特許第Ｒｅ３５，４３９号；第３，８００，８１２号；第４，９７４，６１５号；第５，７６０，１１７号；第５，４３３，２２６号；第５，４７９，９５２号；第５，５０３，８４２号；第５，７５５，２４３号；第５，８４５，６５２号；第５，８８４，６３９号；第５，９１８，６０９号；第５，９６２，５７２号；第５，９９８，４３１号；第６，００３，５２５号；第６，０８３，２０８号；第６，１４８，８３０号；第６，１６１，５５５号；および第６，０２７，５９２号に記載され特許請求されており、これらの開示を参照により本明細書に組み込む。一般に、こうしたデンタルテープには、やわらかさ、フロッシング中のコーティングの送達、フロッシング中の扱い易さと取扱いの便宜の上で重大な欠点がある。
【００１３】
ポリテトラフルオロエチレン（ＰＴＦＥ）ベースの歯間用具が、米国特許第５，２０９，２５１号；第５，０３３，４８８号；第５，５１８，０１２号；第５，９１１，２２８号；第５，２２０，９３２号；第４，７７６，３５８号；第５，７１８，２５１号；第５，８４８，６００号；第５，７８７，７５８号；および第５，７６５，５７６号に記載されている。今日まで、市販のこうしたテープには、効果的にコートされているものはなく、フロッシング中に歯間および歯肉縁下に有効成分を送達するために使用することはできない。フロッシング中の扱いは、困難である。ほとんどのものは、消費者に受け入れられる縁（ｅｄｇｅ）を付ける必要がある。多くのものは、寸法の不整合という重大な問題がある。
【００１４】
いくつかの特許出願は、単繊維テープの重量の約２０％〜１２０％を構成するコーティングを伴う単繊維デンタルテープを出願している。これらは、２０００年８月２３日に出願された同時係属中の米国仮出願第６０／２２７，４３３号および第６０／２２７，２５５号、ならびに２００１年１月２２日に出願された第６０／２６３，２２０号に記載されており、これらをすべて参照により本明細書に組み込む。
【発明の開示】
【発明が解決しようとする課題】
【００１５】
定期的に使用する場合に、歯間および歯肉縁下の重要な（ｃｒｉｔｉｃａｌ）部位からのバイオフィルムの破壊および／または物理的除去を助け、必要に応じて部位特異的に化学療法薬を送達する放出可能成分でコートされた、市販の切れにくいテープが確実に必要である。
【課題を解決するための手段】
【００１６】
本発明は、デンタルテープを含めた可撓性のある表面上に対するコーティングの強固さが増強でき、その結果、こうした増強されたコーティングが、表面が屈曲する間も、前記表面に対して強固なままであり、割れたり砕けたり剥がれ落ちたりしにくいという観察結果に焦点を当てている。特に、ほとんどのコートされた可撓性のある表面、特に、唾液溶解性であり有効量の研磨剤、清浄剤、界面活性剤、および化学療法剤を含むように調合されたコーティングは、屈曲する間、結晶面に沿って砕け、その後、割れる、削れる、剥がれるおよび／または脱落することなどによって、可撓性のある表面からこれらの成分が放出することが観察されている。こうした観察結果に応えて、様々なコーティングに、ある種の物質を比較的低濃度で添加すると、結晶形成が減少し、同時に、屈曲を受けている可撓性のある表面に対するコーティングの強固さが増強され、その特性により前記のテープに優れた剥離耐性と放出値（ｒｅｌｅａｓｅ  ｖａｌｕｅ）が与えられることが思いがけず発見された。
【００１７】
コーティングに比較的低濃度で加えられた場合、結晶形成を減少、抑制および／または無くし、可撓性のある表面に対するコーティングの強固さを増強するこうしたコーティング添加剤には、約１０〜３０個の炭素原子を有するある種の脂肪族の長鎖高級アルコールおよび／またはポリエチレングリコールソルビタン二脂肪酸エステルなどの様々な液状界面活性剤が含まれる。
【００１８】
本発明の結晶を含まないコーティングに適した脂肪族の長鎖高級アルコールは、構造式ＲＯＨ（Ｒは２０〜３０個の炭素原子を有する長鎖アルキル基を表す）で表すことができる。具体例には、次のものがある：
１−デカノール          １−ヘプタデカノール      １−ペンタコサノール
１−ウンデカノール      １−オクタデカノール      １−ヘキサコサノール
１−ドデカノール        １−ノナデカノール        １−ヘプタコサノール
１−テトラデカノール    １−エイコサノール        １−オクタコサノール
１−ペンタデカノール    １−ヘンエイコサノール    １−ノナコサノール
１−ヘキサデカノール    １−トリコサノール        １−トリアコンタソール（ｔｒｉａｃｏｎｔａｓｏｌ）
１−テトラコサノール
天然原料から化学的に誘導されたものを含めて、十分な量のこれらの高級アルコール類またはそれらの異性体を含有する天然に存在する混合物も、本発明のための脂肪族長鎖高級アルコールの好適な原料となる。
【００１９】
長鎖高級アルコールは、構造式ＲＯＨ（Ｒは、１０〜３０個の炭素原子を有する長鎖アルキル基を表す）で表すことができる。これは、Ｓｔｅｐａｎ、Ｐｒｏｃｔｏｒ＆ＧａｍｂｌｅおよびＡｌｄｒｉｃｈ  Ｃｈｅｍｉｃａｌ  Ｃｏ．、ならびに植物および動物から誘導された高級アルコールを加工している様々な会社から購入できる。
【００２０】
本発明の結晶を含まないコーティングに適した液状界面活性剤には、一般式
【００２１】
【化１】
2004533859.tif 000002
（式中、Ｒ１、Ｒ２、Ｒ３、Ｒ４は、Ｈまたは脂肪族アシル基（１０〜３０）であり、ｗ、ｘ、ｙ、およびｚの合計は、２０〜８０である）
で表されるポリオキシエチレングリコールソルビタン一脂肪酸エステルおよび二脂肪酸エステルが含まれる。こうした液状界面活性剤は、Ｃｏｇｎｉｓ  Ｎ．Ａ．およびＩＣＩから商品名Ｅｍｓｏｒｂ（登録商標）、Ｓｐａｎ（登録商標）、Ｔｗｅｅｎ（登録商標）で入手できる。これらの具体例には、
モノオレイン酸ＰＥＧ  ２０ソルビタン（Ｔｗｅｅｎ（登録商標）８０、ＩＣＩ）、
モノステアリン酸ＰＥＧ  ４０ソルビタン（Ｓｐａｎ  ６０（登録商標）、ＩＣＩ）、および
ジステアリン酸ＰＥＧ  ４０ソルビタン（Ｅｍｓｏｒｂ（登録商標）２７２６、Ｃｏｇｎｉｓ，Ｎ．Ａ．）
が挙げられる。
【００２２】
当分野の技術者に知られている同様のエステル化されたＰＥＧベースの界面活性剤もまた、好適な液状界面活性剤である。
【００２３】
したがって、本発明の好ましい一実施形態は、屈曲を受けても割れたり剥がれたり崩壊したりしにくい、可撓性のある表面のための強固なコーティングを含む。
【００２４】
本発明の他の好ましい実施形態は、歯間および歯肉縁下部位からバイオフィルムを物理的に除去する切れにくいデンタルテープを含む。
【００２５】
本発明の他の好ましい実施形態は、フロッシング中にバイオフィルム破壊物質を放出し、バイオフィルムに作用する強固なコーティングを、切れにくいテープに適用する方法を含む。
【００２６】
本発明の他の好ましい実施形態は、剥がれが最小限であるが、フロッシング中に完全な放出が実現される強固なコーティングを伴う切れにくいテープを含む。
【００２７】
本発明の他の好ましい実施形態は、強固であり、唾液溶解性であり、剥がれが最小限である実質上結晶を含まないコーティングを伴う単繊維テープを含む。
【００２８】
本発明の他の好ましい実施形態は、フロッシング中にテープから放出された場合にバイオフィルムの物理的な除去を助ける強固なコーティングを伴う切れにくいデンタルテープを含む。
【００２９】
本発明の他の好ましい実施形態は、生理活性のある成分または化学療法成分と共に、バイオフィルムを破壊および物理的に除去する成分（これらはすべてフロッシング中に大部分または完全に放出される）を含有する、デンタルテープ用の強固なコーティングを含む。
【００３０】
本発明の他の好ましい実施形態は、歯間および歯肉縁下部位を処置して歯肉縁下および歯間のバイオフィルムを除去すると同時に、有効成分を用いて前記の部位を処置するための方法を含む。
【００３１】
本発明の他の好ましい実施形態は、剥がれ落ちることはないが、フロッシング中に完全に放出可能である十分な濃度のバイオフィルム破壊／除去成分を含有する、切れにくいデンタルテープを製造するための方法を含む。
【００３２】
本発明の他の好ましい実施形態は、剥離値（ｆｌａｋｉｎｇ  ｖａｌｕｅ）が約２０未満であるコートされたデンタルテープを含む。
【００３３】
本発明の他の好ましい実施形態は、コーティングの放出値が約１００に近い、一群のコートされたデンタルテープを含む。
【００３４】
本発明のこれらの実施形態および他の実施形態を、以下に詳細に記述する。
【発明を実施するための最良の形態】
【００３５】
本発明においては、「結晶を含まない」は、３０倍の実体顕微鏡で観察した場合に結晶性コーティングに典型的な粗い表面とは区別される滑らかな表面と定義される。
【００３６】
本発明においては、剥離耐性は、本発明のコーティングが、屈曲する間にエラストマー、ＴＥＦＬＯＮ（登録商標）、複合繊維、または他のポリマーの、可撓性のあるデンタルテープから剥がれ落ちる傾向を示す。剥離耐性は、適切に制御された再現可能な条件下で、コートされたテープの１８インチ断片を３０秒間曲げた後の結晶を含まないコーティングの重量の減少に基づく。
【００３７】
本発明においては、放出値は、テープの１８インチ断片を６０秒間十分にフロッシングした後に測定される。フロッシング中にテープから除去された結晶を含まないコーティングのパーセントが、放出値を表す。
【００３８】
本発明においては、デンタルテープは、Ｐｅｒｉｄｅｎｔ’ｓ  Ｆｉｂａｃｌｅａｎ（商標）などのエラストマーテープ、Ｇｏｒｅ’ｓ  Ｇｌｉｄｅ（登録商標）、Ｊ＆Ｊ’ｓ  Ｅａｓｙ  Ｓｌｉｄｅ（登録商標）、およびＣｏｌｇａｔｅ’ｓ  Ｔｏｔａｌ（登録商標）などのＰＴＦＥテープ、ならびにＯｒａｌ−Ｂ’ｓ  Ｓａｔｉｎ  Ｔａｐｅ（登録商標）などの複合繊維テープを含めて単繊維テープと定義される。
【００３９】
ある種の石油ワックスが、本発明の結晶を含まないコーティングにとって好適かつ好ましい追加の添加剤である。これには、室温で固体であり、高沸点の石油留分から誘導される比較的高分子量のどんな範囲の炭化水素（約Ｃ１６〜Ｃ５０）も含まれる。石油ワックスの基本カテゴリーは、パラフィン（結晶）、マイクロクリスタリン、および石油の３つである。パラフィンワックスは、より軽い潤滑油留分から、一般にこのオイルを冷却し、融点が４８℃（１１８°Ｆ）と７１℃（１６０°Ｆ）の間である結晶化したワックスを濾過することによって生成される。十分に精製されたパラフィンワックスは、乾いていて硬く、良い光沢を与えることができる。マイクロクリスタリンワックスは、より重い潤滑油留分と残渣（残油（ｏｎｅ  ｂｏｔｔｏｍｓ））から、通常、溶媒希釈と冷却の組み合わせによって生成される。これは、結晶構造がはっきりせず、暗色であり、粘性が高く、融点が６３℃（１４８°Ｆ）〜９３℃（２００°Ｆ）と高い点で、パラフィンワックスと異なる。マイクロクリスタリングレードはまた、その物理的特性において、パラフィンよりもかなり広範囲に変化し、延性のあるものもあれば、もろく、あるいは容易に砕けるものもある。
【００４０】
ペトロラタムは、残りの重い潤滑油ストックから、プロパン希釈および濾過または遠心分離によって得られる。これは、微晶質の特性を有し、室温で半固体である。腐食防止剤、カーボン紙、および肉用包み紙（ｂｕｔｃｈｅｒ’ｓ  ｗｒａｐ）など、工業使用のためのより重いグレードもある。従来、スラックワックス、スケールワックス、および精製（ｒｅｆｉｎｅｄ）ワックスという用語は、オイル含有量の限度を示すために使用されてきた。今日、こうした分類は、特にスラックワックスとスケールワックスとの区別において、この意味では厳密性が薄れている。ビーズワックスやカルナウバワックスなどの天然のワックスも適しており、特に所望される性質を提供できる。
【００４１】
本発明の結晶を含まないコーティングに適した追加の成分には、米国特許第４，９１１，９２７号；第４，９５０，４７９号；第５，０３２，３８７号；第５，０９８，７１１号；第５，１６５，９１３号；第５，５３８，６６７号；第５．５６１，９５９号；第５，６６，３７４号、および第５，７３３，５２９号を含めてＨｉｌｌ他の様々な米国特許に記載される通りのＭＩＣＲＯＤＥＮＴ（登録商標）やＵＬＴＲＡＭＵＬＳＩＯＮ（商標）などの抗歯垢成分が含まれる。前述の特許を、参照により本明細書に組み込む。
【００４２】
本発明の様々なデンタルテープに適用される強固な唾液溶解性のコーティング中には、抗菌成分、抗歯石成分、漂白成分、清浄成分、減感成分、抗生物質、抗炎症成分、抗歯肉炎成分、ならびにプロスタグランジン（ＰＧＥ２）およびＣ−反応性タンパク質抑制物質を含めた様々な他の有効成分を含めることができる。
【００４３】
本発明のコートされたデンタルテープに使用するのに適した具体的な有効成分には、フッ化物、硝酸カリウム、トリクロサン、クロルヘキシジン、セチルピリジニウムクロルヘキシジン、臭化ドマフェン、メトロニダゾール、ドキシサイクリン、アスピリン、Ｌｉｓｔｅｒｉｎｅ（登録商標）中の精油、およびそれらの混合物がある。
【００４４】
本発明のデンタルテープ用の強固なコーティングは、さらに（ａ）結晶抑制物質を含有する、（ｂ）唾液溶解性である、（ｃ）実質上結晶を含まない、（ｄ）テープの重量の約２０％〜１２０％を構成し、剥離値が約２０未満、かつ放出値が約１００であると特徴付けることができる。
【００４５】
本発明の結晶を含まないコーティングでコートされた、引用された同時係属中の出願に記載された類のエラストマーデンタルテープを、以下の表Ｉに記載する。
【００４６】
【表１】
2004533859.tif 000003
【００４７】
本発明を、その好ましい実施形態を含めて、詳細に説明してきた。しかし、当分野の技術者であれば、この開示を考慮した上で、以下の特許請求の範囲に記載される通りの本発明の範囲および趣旨内で、本発明を改変および／または改良することが可能であることが理解できるであろう。
【国際公開パンフレット】
2004533859.tif 000005
2004533859.tif 000006
2004533859.tif 000007
2004533859.tif 000008
2004533859.tif 000009
2004533859.tif 000010
2004533859.tif 000011
2004533859.tif 000012
2004533859.tif 000013
2004533859.tif 000014
2004533859.tif 000015
2004533859.tif 000016
2004533859.tif 000017
2004533859.tif 000018
2004533859.tif 000019
2004533859.tif 000020
2004533859.tif 000021
【国際調査報告】
2004533859.tif 000022